(57)【要約】【課題】１次側に設けられたノイズ低減のためのコンデンサを介して２次側のグラウンド（接地部）に漏洩電流が流れることを低減することが可能な電子機器を提供する。【解決手段】このディスク装置１００（電子機器）は、電力を変換するためのスイッチング電源回路１０と、交流電源に直接接続される１次側回路２０に設けられ、電源ライン（４１ａ、４１ｂ、４１ｃおよび４１ｄ）に伝播されるノイズを低減するためのコンデンサＣ２およびＣ３と、１次側回路２０に対してスイッチング電源回路１０を介して接続された２次側回路３０に設けられ、ドレインが１次側回路２０のコンデンサＣ２およびＣ３に接続されるとともに、ソースが接地されており、オンオフされることにより、コンデンサＣ２およびＣ３の接地状態と非接地状態とを切替えるためのＭＯＳＦＥＴ３４とを備える。【選択図】図１
2015089280.tif 000002
【特許請求の範囲】
【請求項１】
電力を変換するための電力変換回路と、
交流電源に直接接続される１次側回路に設けられ、電源ラインに伝播されるノイズを低減するための少なくとも１つのコンデンサと、
前記１次側回路に対して前記電力変換回路を介して接続された２次側回路に設けられ、一方端子が前記１次側回路の前記コンデンサに接続されるとともに、他方端子が接地されており、オンオフされることにより、前記コンデンサの接地状態と非接地状態とを切替えるための第１スイッチ素子とを備える、電子機器。
【請求項２】
前記コンデンサは、交流電源の正側に接続される第１コンデンサと、負側に接続される第２コンデンサとを含み、
前記第１スイッチ素子は、一方端子が前記第１コンデンサおよび前記第２コンデンサの少なくとも一方に接続されるとともに、他方端子が接地されており、
前記第１スイッチ素子は、オンオフされることにより、前記第１コンデンサおよび前記第２コンデンサの少なくとも一方の接地状態と非接地状態とを切替えるように構成されている、請求項１に記載の電子機器。
【請求項３】
前記第１スイッチ素子は、前記２次側回路の動作状態に応じてオンオフされるとともに、オンオフされることにより、前記コンデンサの接地状態と非接地状態とを切り替えるように構成されている、請求項１または２に記載の電子機器。
【請求項４】
前記第１スイッチ素子は、前記２次側回路の動作状態が少なくとも待機状態の場合に、オフになり、前記コンデンサを非接地状態にするように構成されている、請求項３に記載の電子機器。
【請求項５】
前記２次側回路に設けられ、２次側の所定の回路への電力供給を制御するための第１制御部をさらに備え、
前記第１制御部は、前記２次側回路の動作状態を前記２次側の所定の回路への電力の供給状態に基づいて判別するとともに、判別した前記２次側の所定の回路への電力の供給状態に応じて前記第１スイッチ素子をオンオフすることにより、前記コンデンサの接地状態と非接地状態とを切替えるように構成されている、請求項３または４に記載の電子機器。
【請求項６】
前記２次側回路に設けられ、一方端子が前記第１スイッチ素子に接続されるとともに、他方端子が前記第１スイッチ素子をオンオフするための電力を供給する電源に接続される第２スイッチ素子をさらに備え、
前記第１制御部は、前記２次側の所定の回路への電力の供給状態に応じて前記第２スイッチ素子をオンオフすることにより、前記第１スイッチ素子をオンオフし、前記コンデンサの接地状態と非接地状態とを切替えるように構成されている、請求項５に記載の電子機器。
【請求項７】
前記２次側回路に設けられ、前記２次側回路を制御するとともに前記第１スイッチ素子に電力を供給するための第２制御部をさらに備え、
前記第１スイッチ素子は、前記第２制御部のオンオフとともにオンオフして、前記コンデンサの接地状態と非接地状態とを切替えるように構成されている、請求項３または４に記載の電子機器。
【請求項８】
前記２次側回路に設けられ、２次側の所定の回路に供給される電流を監視するための電流監視回路をさらに備え、
前記第１スイッチ素子は、前記電流監視回路に流れる電流が所定の電流値以下である場合に、オフになり、前記コンデンサを非接地状態にするように構成されている、請求項３または４に記載の電子機器。
【発明の詳細な説明】
【技術分野】
【０００１】
この発明は、電子機器に関し、特に、ノイズを低減するためのコンデンサを備える電子機器に関する。
【背景技術】
【０００２】
従来、ノイズを低減するためのコンデンサを備える電子機器が知られている（たとえば、特許文献１参照）。
【０００３】
上記特許文献１には、スイッチングトランスと、スイッチングトランスの１次側で交流電源に直接接続される１次側回路と、スイッチングトランスを介して１次側回路に接続される２次側回路とを含む電源装置を備える医療用装置（電子機器）が開示されている。この医療用装置の１次側回路には、スイッチングの際のノイズ低減のための２つのコンデンサが設けられている。この２つのコンデンサは、一方側の電極がそれぞれ１次側の電源ラインのライブ側およびニュートラル側に接続されるとともに、各々の他方側の電極が２次側のフレームグラウンドに接続されている。そして、この医療用装置は、電源ラインに伝播されるノイズをコンデンサを介してフレームグラウンドに逃がすことにより、ノイズが低減されるように構成されていると考えられる。
【先行技術文献】
【特許文献】
【０００４】
【特許文献１】特開２０１２−１５２０６５号公報
【発明の概要】
【発明が解決しようとする課題】
【０００５】
しかしながら、上記特許文献１に記載の医療用装置では、１次側に設けられたノイズ低減のための２つのコンデンサは、２次側のフレームグラウンドに接続された状態であるため、１次側の２つのコンデンサを介して２次側のフレームグラウンドに漏洩電流が流れる場合があるという問題点がある。
【０００６】
この発明は、上記のような課題を解決するためになされたものであり、この発明の１つの目的は、１次側に設けられたノイズ低減のためのコンデンサを介して２次側のグラウンド（接地部）に漏洩電流が流れることを低減することが可能な電子機器を提供することである。
【課題を解決するための手段】
【０００７】
この発明の一の局面による電子機器は、電力を変換するための電力変換回路と、交流電源に直接接続される１次側回路に設けられ、電源ラインに伝播されるノイズを低減するための少なくとも１つのコンデンサと、１次側回路に対して電力変換回路を介して接続された２次側回路に設けられ、一方端子が１次側回路のコンデンサに接続されるとともに、他方端子が接地されており、オンオフされることにより、コンデンサの接地状態と非接地状態とを切替えるための第１スイッチ素子とを備える。
【０００８】
この発明の一の局面による電子機器では、上記のように、第１スイッチ素子をオンオフすることにより、コンデンサの接地状態と非接地状態とを切替えるように構成することにより、コンデンサを非接地状態とすることができるので、１次側に設けられたノイズ低減のためのコンデンサを介して２次側のグラウンド（接地部）に漏洩電流が流れることを低減することができる。
【０００９】
また、１次側と２次側との回路を接続する部品は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）や、電気用品安全法などに規定された安全規格を満たす必要があるため、コンデンサを介した漏洩電流の低減を図るための部品を選択する際に、選択可能な部品が限られてしまう。この発明の一の局面による電子機器では、上記のように、２次側回路に設けられ、一方端子が１次側回路のコンデンサに接続されるとともに、他方端子が接地されるように第１スイッチ素子を構成することによって、第１スイッチ素子が２次側回路内に設けられるので、第１スイッチ素子が１次側回路と２次側回路とにまたがる場合と異なり、第１スイッチ素子に安全規格を満たす部品を使用する必要がない。これにより、第１スイッチ素子の部品選択の幅が狭くなることを抑制して部品選択の自由度を広げることができる。実際上の回路設計において、部品選択の自由度を向上することができる点は、極めて効果的である。
【００１０】
上記一の局面による電子機器において、好ましくは、コンデンサは、交流電源の正側に接続される第１コンデンサと、負側に接続される第２コンデンサとを含み、第１スイッチ素子は、一方端子が第１コンデンサおよび第２コンデンサの少なくとも一方に接続されるとともに、他方端子が接地されており、第１スイッチ素子は、オンオフされることにより、第１コンデンサおよび第２コンデンサの少なくとも一方の接地状態と非接地状態とを切替えるように構成されている。このように構成すれば、１次側において、交流電源の正側に接続される第１コンデンサと、負側に接続される第２コンデンサとにより、交流電源の正側と負側との両方の電源ラインに伝播されるノイズを低減することができる。また、２次側回路の第１スイッチ素子をオフにすることにより、第１コンデンサおよび第２コンデンサの少なくとも一方を非接地状態とすることができるので、１次側の第１コンデンサおよび第２コンデンサの少なくとも一方を介して２次側の接地部に漏洩電流が流れることを抑制することができる。
【００１１】
上記一の局面による電子機器において、好ましくは、第１スイッチ素子は、２次側回路の動作状態に応じてオンオフされるとともに、オンオフされることにより、コンデンサの接地状態と非接地状態とを切り替えるように構成されている。このように構成すれば、たとえば、電子機器がノイズの発生の少ない動作状態である場合には、第１スイッチ素子をオフにするなど、電子機器の状態に応じて適切に第１スイッチ素子をオンオフすることができる。これにより、コンデンサの接地状態においてノイズを低減することと、コンデンサの非接地状態において漏洩電流を低減することとの両方を電子機器の動作状態に応じて適切に実行することができる。
【００１２】
この場合、好ましくは、第１スイッチ素子は、２次側回路の動作状態が少なくとも待機状態の場合に、オフになり、コンデンサを非接地状態にするように構成されている。このように構成すれば、２次側回路が、電子機器のノイズの発生の少ない動作状態である待機状態において、第１スイッチ素子がオフになることにより、１次側のコンデンサを介して２次側の接地部に漏洩電流が流れることを確実に低減することができる。
【００１３】
上記第１スイッチ素子が２次側回路の動作状態に応じてオンオフされる構成において、好ましくは、２次側回路に設けられ、２次側の所定の回路への電力供給を制御するための第１制御部をさらに備え、第１制御部は、２次側回路の動作状態を２次側の所定の回路への電力の供給状態に基づいて判別するとともに、判別した２次側の所定の回路への電力の供給状態に応じて第１スイッチ素子をオンオフすることにより、コンデンサの接地状態と非接地状態とを切替えるように構成されている。このように構成すれば、第１制御部により２次側回路（電子機器）の動作状態を電力の供給状態に基づいて確実に判別することができるので、動作状態に応じた第１スイッチ素子の切替えを確実に実行することができる。この結果、１次側のコンデンサを介して２次側の接地部に漏洩電流が流れることをより確実に低減することができる。
【００１４】
この場合、好ましくは、２次側回路に設けられ、一方端子が第１スイッチ素子に接続されるとともに、他方端子が第１スイッチ素子をオンオフするための電力を供給する電源に接続される第２スイッチ素子をさらに備え、第１制御部は、２次側の所定の回路への電力の供給状態に応じて第２スイッチ素子をオンオフすることにより、第１スイッチ素子をオンオフし、コンデンサの接地状態と非接地状態とを切替えるように構成されている。このように構成すれば、たとえば、第１制御部に第１スイッチ素子をオンオフするための電力を供給する能力がない場合にも、２次側回路の第１スイッチ素子をオンオフするための電力を供給する電源から電力を供給することができるので、１次側のコンデンサを介して２次側の接地部に漏洩電流が流れることを容易に低減することができる。
【００１５】
上記第１スイッチ素子が２次側回路の動作状態に応じてオンオフされる構成において、好ましくは、２次側回路に設けられ、２次側回路を制御するとともに第１スイッチ素子に電力を供給するための第２制御部をさらに備え、第１スイッチ素子は、第２制御部のオンオフとともにオンオフして、コンデンサの接地状態と非接地状態とを切替えるように構成されている。このように構成すれば、ノイズの発生の少ない動作状態である第２制御部がオフである場合（２次側回路を制御する必要がない場合）に、容易に、２次側回路の第１スイッチ素子をオフにすることができる。
【００１６】
上記第１スイッチ素子が２次側回路の動作状態に応じてオンオフされる構成において、好ましくは、２次側回路に設けられ、２次側の所定の回路に供給される電流を監視するための電流監視回路をさらに備え、第１スイッチ素子は、電流監視回路に流れる電流が所定の電流値以下である場合に、オフになり、コンデンサを非接地状態にするように構成されている。このように構成すれば、ノイズの発生の少ない動作状態である電流監視回路に流れる電流が所定の電流値以下である場合に、２次側回路の第１スイッチ素子がオフされるので、１次側のコンデンサを介して２次側の接地部に漏洩電流が流れることを確実に低減することができる。
【発明の効果】
【００１７】
１次側に設けられたノイズ低減のためのコンデンサを介して２次側のグラウンド（接地部）に漏洩電流が流れることを低減することが可能な電子機器を提供することができる。
【図面の簡単な説明】
【００１８】
【図１】本発明の第１実施形態によるディスク装置に含まれる電源回路の回路図である。
【図２】本発明の第１実施形態によるディスク装置の２次側回路の動作状態を説明するための図である。
【図３】本発明の第２実施形態によるディスク装置に含まれる電源回路の回路図である。
【図４】本発明の第３実施形態によるディスク装置に含まれる電源回路の回路図である。
【図５】本発明の第１実施形態によるディスク装置の第１変形例を説明するための回路図である。
【図６】本発明の第１実施形態によるディスク装置の第２変形例を説明するための回路図である。
【図７】本発明の第１実施形態によるディスク装置の第３変形例を説明するための回路図である。
【図８】本発明の第１実施形態によるディスク装置の第４変形例を説明するための回路図である。
【発明を実施するための形態】
【００１９】
以下、本発明を具体化した実施形態を図面に基づいて説明する。
【００２０】
（第１実施形態）
図１および図２を参照して、本発明の第１実施形態によるディスク装置１００の構成について説明する。なお、ディスク装置１００は、本発明の「電子機器」の一例である。
【００２１】
本発明の第１実施形態によるディスク装置１００は、図１に示すように、交流電源（図示せず）から入力される電圧を変換するためのスイッチング電源回路１０と、交流電源に直接接続される１次側回路２０（破線で示す）と、１次側回路２０に対してスイッチング電源回路１０を介して接続された２次側回路３０（破線で示す）とを備えている。なお、スイッチング電源回路１０は、本発明の「電力変換回路」の一例である。
【００２２】
１次側回路２０は、交流電源に接続するためのＡＣプラグ２１と、電気回路を保護するためのヒューズ２２と、コモンモードノイズを打ち消すためのラインフィルタ２３と、交流を直流に整流するための整流ブリッジ２４と、ノーマルモードノイズを低減するためのコンデンサＣ１と、コモンモードノイズを低減するためのＣ２およびＣ３と、平滑コンデンサＣ４とを含んでいる。なお、ノーマルモードノイズとは、信号ライン間および電源ライン間に発生して、２本のラインを往復するように伝わるノイズのことであり、コモンモードノイズとは、信号ラインおよび電源ラインとＧＮＤ（グラウンド）との間に発生して、２本のラインを同じ方向に伝わるノイズのことである。また、コンデンサＣ２は、本発明の「第１コンデンサ」の一例である。また、コンデンサＣ３は、本発明の「第２コンデンサ」の一例である。
【００２３】
２次側回路３０は、２次側回路３０の各構成要素に電力を供給するための２次側電源３１と、２次側電源３１から電力を供給されることにより動作する負荷回路３２（破線で示す）と、後述するマイコン３２ｄからの制御信号によりオンオフされるトランジスタ３３と、１次側回路２０のコンデンサＣ２およびＣ３の接地状態と非接地状態とを切り替えるためのＭＯＳＦＥＴ３４とを備えている。また、負荷回路３２は、負荷回路として、ＢＤ（Ｂｌｕ−ｒａｙ  Ｄｉｓｋ（登録商標））ドライブ３２ａと、ＨＤ（Ｈａｒｄ  Ｄｉｓｋ）ドライブ３２ｂと、２次側回路３０全体の動作を制御するためのメイン制御部３２ｃと、２次側電源３１から負荷回路３２（ＢＤドライブ３２ａ、ＨＤドライブ３２ｂおよびメイン制御部３２ｃなど）への電力供給を制御するためのマイコン３２ｄとを含んでいる。すなわち、このディスク装置１００は、ＢＤおよびＨＤの各々に映像および音声情報を記録可能であるとともに、ＢＤおよびＨＤに記録された映像および音声情報を再生可能に構成された記録再生装置である。なお、ＢＤドライブ３２ａ、ＨＤドライブ３２ｂおよびメイン制御部３２ｃは、本発明の「２次側の所定の回路」の一例である。また、マイコン３２ｄは、本発明の「第１制御部」の一例である。また、トランジスタ３３は、本発明の「第２スイッチ素子」の一例である。また、ＭＯＳＦＥＴ３４は、本発明の「第１スイッチ素子」の一例である。
【００２４】
次に、１次側回路２０の各構成要素の接続状態と、２次側回路３０の各構成要素の接続状態とを説明する。
【００２５】
まず、１次側回路２０では、ＡＣプラグ２１の正側の端子および負側の端子は、それぞれ、正側の電源ライン４１ａおよび負側の電源ライン４１ｂに接続されている。また、正側の電源ライン４１ａは、ヒューズ２２と、正側のラインフィルタ２３ａとを介して、整流ブリッジ２４に接続されている。また、負側の電源ライン４１ｂは、負側のラインフィルタ２３ｂを介して整流ブリッジ２４に接続されている。
【００２６】
また、コンデンサＣ１は、一方側の電極がヒューズ２２と正側のラインフィルタ２３ａとの間の正側の電源ライン４１ａに接続されているとともに、他方側の電極がＡＣプラグ２１の負側の端子と負側のラインフィルタ２３ｂの間の負側の電源ライン４１ｂに接続されている。
【００２７】
また、コンデンサＣ２は、一方側の電極が正側のラインフィルタ２３ａと整流ブリッジ２４との間の正側の電源ライン４１ａに接続されているとともに、他方側の電極が２次側に設けられたＭＯＳＦＥＴ３４を介して接地されている。また、コンデンサＣ３は、一方側の電極が負側のラインフィルタ２３ｂと整流ブリッジ２４との間の負側の電源ライン４１ｂに接続されているとともに、他方側の電極が２次側に設けられたＭＯＳＦＥＴ３４を介して接地されている。コンデンサＣ２およびＣ３は、主にスイッチング電源回路１０から発生し、電源ライン（４１ａ、４１ｂ、後述する４１ｃおよび４１ｄ）に伝播されるコモンモードノイズを２次側ＧＮＤに逃がすために設けられている。これにより、コモンモードノイズの低減を図ることができる。
【００２８】
整流ブリッジ２４は、電源ライン４１ｃおよび４１ｄを介してスイッチング電源回路１０に接続されている。また、平滑コンデンサＣ４は、＋側の電極が電源ライン４１ｃに接続されるとともに、−側の電極が電源ライン４１ｄに接続されている。
【００２９】
また、２次側回路３０では、２次側電源３１は、スイッチング電源回路１０に接続されている。また、２次側電源３１は、スイッチング電源回路１０により供給される交流電力を所定の電圧値の直流電力に変換するように構成されている。ここで、所定の電圧値とは、負荷回路３２に含まれる各々の負荷回路（ＢＤドライブ３２ａ、ＨＤドライブ３２ｂ、メイン制御部３２ｃおよびマイコン３２ｄ）ごとに異なる電圧値のことである。また、２次側電源３１は、所定の電圧値の直流電力を負荷回路３２に含まれる各々の負荷回路に供給するように構成されている。
【００３０】
マイコン３２ｄは、２次側電源３１からＢＤドライブ３２ａ、ＨＤドライブ３２ｂおよびメイン制御部３２ｃへの電力供給を制御するように構成されている。また、マイコン３２ｄは、抵抗Ｒ２を介して、トランジスタ３３のベース（Ｂ）に接続されている。また、マイコン３２ｄは、２次側電源３１からＢＤドライブ３２ａ、ＨＤドライブ３２ｂおよびメイン制御部３２ｃへの電力供給の状態に基づいて、トランジスタ３３のベースにＨｉｇｈまたはＬｏｗのいずれかの制御信号を送るように構成されている。そして、この制御信号により、トランジスタ３３のオンオフが切り替えられる。この制御信号に基づいたトランジスタ３３の動作制御については、後段において詳述する。
【００３１】
トランジスタ３３は、コレクタ（Ｃ）が抵抗Ｒ３を介して２次側電源３１に接続されている。また、トランジスタ３３は、エミッタ（Ｅ）がＭＯＳＦＥＴ３４のゲート（Ｇ）に接続されている。また、トランジスタ３３は、ベースに接続されたマイコン３２ｄからＨｉｇｈの制御信号を受けた場合に、コレクタからエミッタへと電流が流れる（オンになる）ように構成されている。また、トランジスタ３３は、バイポーラ型のトランジスタである。
【００３２】
ＭＯＳＦＥＴ３４は、ドレイン（Ｄ）が１次側のコンデンサＣ２およびＣ３に接続されている。また、ＭＯＳＦＥＴ３４は、ソース（Ｓ）が２次側ＧＮＤに接地されている。また、ＭＯＳＦＥＴ３４は、ゲートに所定の電圧がかかることによりドレインからソースへと電流が流れる（オンになる）ように構成されている。また、ＭＯＳＦＥＴ３４は、電界効果型のトランジスタである。また、ＭＯＳＦＥＴ３４のゲート側では、抵抗Ｒ１がＭＯＳＦＥＴ３４のゲートと抵抗Ｒ２とに直列に接続されている。
【００３３】
次に、図１および図２を参照して、２次側回路３０の動作状態について説明する。
【００３４】
第１実施形態では、２次側回路３０（図１参照）では、図２に示すように、２次側の負荷回路３２（図１参照）に含まれている各々の負荷回路（ＢＤドライブ３２ａ、ＨＤドライブ３２ｂ、メイン制御部３２ｃおよびマイコン３２ｄ）が動作しているか否かに応じた動作状態がある。具体的には、負荷回路３２に含まれる全ての負荷回路が動作している状態（最大動作状態）や、ＨＤドライブ３２ｂ（図１参照）が動作しているがＢＤドライブ３２ａ（図１参照）が動作していない状態（ＨＤドライブ動作状態）、ＢＤドライブ３２ａが動作しているがＨＤドライブ３２ｂが動作していない状態（ＢＤドライブ動作状態）、ＢＤドライブ３２ａおよびＨＤドライブ３２ｂが動作していないがメイン制御部３２ｃ（図１参照）が動作している状態（メイン制御部動作状態）、マイコン３２ｄ（図１参照）のみが動作している状態（待機状態）がある。
【００３５】
これらの動作状態は、マイコン３２ｄにより判別される。具体的には、２次側回路３０の動作状態は、負荷回路３２への電力の供給状態に基づいてマイコン３２ｄにより判別される。より具体的には、図２に示す表中の「ＹＥＳ」の場合には、２次側電源３１から電力が供給されている状態（動作している状態）であると判別され、「ＮＯ」の場合には、２次側電源３１から電力が供給されていない状態（動作していない状態）であるとマイコン３２ｄにより判別される。
【００３６】
また、第１実施形態では、この２次側回路３０の動作状態に応じて、スイッチング電源回路１０の動作状態も変化する。すなわち、２次側回路３０の動作状態が最大動作状態である場合には、スイッチング電源回路１０は、２次側電源３１に大きな電力を送るために頻繁にスイッチング動作を行う必要がある。一方、２次側回路３０の動作状態が待機状態の場合には、スイッチング電源回路１０は、２次側電源３１に大きな電力を送る必要がないため、スイッチング動作の回数が少ない。このように、２次側回路３０の動作状態に応じて、スイッチング電源回路１０の動作状態が変化する。したがって、２次側回路３０の動作状態に応じて、スイッチング電源回路１０からのノイズの発生量が変化する。そして、待機状態など、このノイズの発生量が少ない２次側回路３０の動作状態においては、ノイズを低減するためのコンデンサＣ２およびＣ３が不要な場合もある。
【００３７】
次に、２次側回路３０の動作状態に応じたトランジスタ３３およびＭＯＳＦＥＴ３４のオンオフ動作について説明する。
【００３８】
まず、２次側回路３０が待機状態以外の動作状態である場合には、トランジスタ３３のベースにＨｉｇｈの制御信号がマイコン３２ｄにより送られる。この場合、トランジスタ３３がオンとなるため、２次側電源３１からトランジスタ３３を介してＭＯＳＦＥＴ３４のゲートに電力が供給される。これにより、ＭＯＳＦＥＴ３４は、オンとなり、コンデンサＣ２およびＣ３が接地される。その結果、ノイズが低減される。すなわち、コンデンサＣ２およびＣ３から２次側ＧＮＤに電流が流れる。
【００３９】
また、２次側回路３０が待機状態である場合には、トランジスタ３３のベースにＬｏｗの制御信号がマイコン３２ｄにより送信される。この場合、トランジスタ３３がオフとなるため、ＭＯＳＦＥＴ３４のゲートへの電力供給が遮断される。これにより、ＭＯＳＦＥＴ３４は、オフとなり、コンデンサＣ２およびＣ３が非接地状態となる。その結果、コンデンサＣ２およびＣ３から２次側ＧＮＤに漏洩電流が流れない。
【００４０】
第１実施形態では、以下のような効果を得ることができる。
【００４１】
第１実施形態では、上記のように、ＭＯＳＦＥＴ３４をオンオフすることにより、コンデンサＣ２およびＣ３の接地状態と非接地状態とを切替えるように構成することにより、コンデンサＣ２およびＣ３を非接地状態とすることができるので、１次側に設けられたノイズ低減のためのコンデンサＣ２およびＣ３を介して２次側ＧＮＤ（グラウンド）に漏洩電流が流れることを低減することができる。
【００４２】
また、１次側と２次側との回路を接続する部品は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）や、電気用品安全法などに規定された安全規格を満たす必要があるため、コンデンサＣ２およびＣ３を介した漏洩電流の低減を図るための部品を選択する際に、選択可能な部品が限られてしまう。この第１実施形態では、上記のように、２次側回路３０に設けられ、ドレインが１次側回路２０のコンデンサＣ２およびＣ３に接続されるとともに、ソースが接地されるようにスイッチ素子（ＭＯＳＦＥＴ３４）を構成することによって、スイッチ素子が２次側回路３０に設けられるので、スイッチ素子が１次側回路２０と２次側回路３０とにまたがる場合と異なり、スイッチ素子に安全規格を満たす部品を使用する必要がない。これにより、スイッチ素子の部品選択の幅が狭くなることを抑制して部品選択の自由度を広げることができる。実際上の回路設計において、部品選択の自由度を向上することができる点は、極めて効果的である。
【００４３】
また、第１実施形態では、上記のように、交流電源の正側に接続されるコンデンサＣ２と、負側に接続されるコンデンサＣ３とを設け、ドレインが第１コンデンサＣ２およびＣ３に接続されるとともに、ソースが接地されており、オンオフされることにより、コンデンサＣ２およびＣ３の接地状態と非接地状態とを切替えるようにＭＯＳＦＥＴ３４を構成する。これにより、１次側において、交流電源の正側に接続されるコンデンサＣ２と、負側に接続されるコンデンサＣ３とにより、交流電源の正側と負側との両方の電源ライン（４１ａ、４１ｂ、４１ｃおよび４１ｄ）に伝播されるノイズを低減することができる。また、２次側回路３０のＭＯＳＦＥＴ３４をオフにすることにより、コンデンサＣ２およびＣ３を非接地状態とすることができるので、１次側のコンデンサＣ２およびＣ３を介して２次側ＧＮＤに漏洩電流が流れることを抑制することができる。
【００４４】
また、第１実施形態では、上記のように、２次側回路３０の動作状態に応じてオンオフされるとともに、オンオフされることにより、コンデンサＣ２およびＣ３の接地状態と非接地状態とを切り替えるようにＭＯＳＦＥＴ３４を構成する。これにより、ディスク装置１００（２次側回路３０）がノイズの発生の少ない動作状態である場合には、ＭＯＳＦＥＴ３４をオフにするなど、ディスク装置１００の状態に応じて適切にＭＯＳＦＥＴ３４をオンオフすることができる。この結果、コンデンサＣ２およびＣ３の接地状態においてノイズを低減することと、コンデンサＣ２およびＣ３の非接地状態において漏洩電流を低減することとの両方をディスク装置１００の動作状態に応じて適切に実行することができる。
【００４５】
また、第１実施形態では、上記のように、２次側回路３０の動作状態が待機状態の場合に、オフになり、コンデンサＣ２およびＣ３を非接地状態にするようにＭＯＳＦＥＴ３４を構成する。これにより、２次側回路３０が、ディスク装置１００のノイズの発生の少ない動作状態である待機状態において、ＭＯＳＦＥＴ３４がオフになることにより、１次側のコンデンサＣ２およびＣ３を介して２次側ＧＮＤに漏洩電流が流れることを確実に低減することができる。
【００４６】
また、第１実施形態では、上記のように、２次側回路３０に設けられ、ＢＤドライブ３２ａ、ＨＤドライブ３２ｂおよびメイン制御部３２ｃへの電力供給を制御するためのマイコン３２ｄを備え、２次側回路３０の動作状態をＢＤドライブ３２ａ、ＨＤドライブ３２ｂおよびメイン制御部３２ｃへの電力の供給状態に基づいて判別するとともに、判別した２次側のＢＤドライブ３２ａ、ＨＤドライブ３２ｂおよびメイン制御部３２ｃへの電力の供給状態に応じてＭＯＳＦＥＴ３４をオンオフすることにより、コンデンサＣ２およびＣ３の接地状態と非接地状態とを切替えるようにマイコン３２ｄを構成する。これにより、マイコン３２ｄにより２次側回路３０の動作状態を電力の供給状態に基づいて確実に判別することができるので、動作状態に応じたＭＯＳＦＥＴ３４の切替えを確実に実行することができる。この結果、１次側のコンデンサＣ２およびＣ３を介して２次側ＧＮＤに漏洩電流が流れることをより確実に低減することができる。
【００４７】
また、第１実施形態では、上記のように、２次側回路３０に設けられ、エミッタがＭＯＳＦＥＴ３４に接続されるとともに、コレクタがＭＯＳＦＥＴ３４をオンオフするための電力を供給する２次側電源３１に接続されるトランジスタ３３を備え、ＢＤドライブ３２ａ、ＨＤドライブ３２ｂおよびメイン制御部３２ｃへの電力の供給状態に応じてトランジスタ３３をオンオフすることにより、ＭＯＳＦＥＴ３４をオンオフし、コンデンサＣ２およびＣ３の接地状態と非接地状態とを切替えるようにマイコン３２ｄを構成する。これにより、マイコン３２ｄにＭＯＳＦＥＴ３４をオンオフするための電力を供給する能力がない場合にも、マイコン３２ｄによりオンオフ可能なトランジスタ３３を制御することにより、２次側電源３１からＭＯＳＦＥＴ３４をオンオフするための電力を供給することができるので、１次側のコンデンサＣ２およびＣ３を介して２次側ＧＮＤに漏洩電流が流れることを容易に低減することができる。
【００４８】
（第２実施形態）
次に、図２および図３を参照して、第２実施形態について説明する。この第２実施形態では、上記第１実施形態とは異なり、ディスク装置２００の２次側のＭＯＳＦＥＴ１３４がメイン制御部１３２ｃによりオンオフされる例について説明する。なお、ディスク装置２００は、本発明の「電子機器」の一例である。また、ＭＯＳＦＥＴ１３４は、本発明の「第１スイッチ素子」の一例である。また、メイン制御部１３２ｃは、本発明の「第２制御部」の一例である。
【００４９】
ディスク装置２００の２次側回路１３０では、図３に示すように、メイン制御部１３２ｃは、２次側電源３１に接続されている。また、メイン制御部１３２ｃは、抵抗Ｒ４を介してＭＯＳＦＥＴ１３４のゲートに接続されている。また、ＭＯＳＦＥＴ１３４は、ドレインが１次側のコンデンサＣ２およびＣ３に接続されているとともに、ソースが２次側ＧＮＤに接地されている。なお、図１に示した上記第１実施形態と同一の構成については、同じ符号を付してその説明を省略する。
【００５０】
次に、２次側回路１３０の動作状態に応じたＭＯＳＦＥＴ１３４のオンオフ動作について説明する。この第２実施形態では、上記第１実施形態と同様に、２次側回路１３０（３０）が待機状態の場合に、ＭＯＳＦＥＴ１３４（３４）がオフされるが、ＭＯＳＦＥＴ１３４（３４）のオンオフがメイン制御部１３２ｃのオンオフに連動している点において構成が異なっている。
【００５１】
まず、２次側回路１３０が待機状態以外の動作状態である場合には、ＭＯＳＦＥＴ１３４のゲートに電力がメイン制御部１３２ｃにより供給される。この場合、ＭＯＳＦＥＴ１３４がオンになるため、コンデンサＣ２およびＣ３が接地状態となる。その結果、ノイズが低減される。すなわち、コンデンサＣ２およびＣ３から２次側ＧＮＤに電流が流れる。
【００５２】
そして、２次側回路１３０が待機状態である場合には、メイン制御部１３２ｃがオフとなるため、ＭＯＳＦＥＴ１３４のゲートには電力が供給されない。この場合、ＭＯＳＦＥＴ１３４がオフになるため、コンデンサＣ２およびＣ３が非接地状態となる。その結果、コンデンサＣ２およびＣ３から２次側ＧＮＤに漏洩電流が流れない。
【００５３】
なお、第２実施形態のその他の構成は、上記第１実施形態と同様である。
【００５４】
第２実施形態では、以下のような効果を得ることができる。
【００５５】
第２実施形態では、上記のように、２次側回路１３０に設けられ、２次側回路１３０を制御するとともにＭＯＳＦＥＴ１３４に電力を供給するためのメイン制御部１３２ｃを備え、メイン制御部１３２ｃのオンオフとともにオンオフして、コンデンサＣ２およびＣ３の接地状態と非接地状態とを切替えるようにＭＯＳＦＥＴ１３４を構成する。これにより、ノイズの発生の少ない動作状態であるメイン制御部１３２ｃがオフである状態（待機状態）に、容易に、２次側回路１３０のＭＯＳＦＥＴ１３４をオフにすることができる。
【００５６】
なお、第２実施形態のその他の効果は、上記第１実施形態と同様である。
【００５７】
（第３実施形態）
次に、図２および図４を参照して、第３実施形態について説明する。この第３実施形態では、上記第１および第２実施形態とは異なり、ディスク装置３００の２次側のＭＯＳＦＥＴ２３４が電流監視回路２５０によりオンオフされる例について説明する。なお、ディスク装置３００は、本発明の「電子機器」の一例である。また、ＭＯＳＦＥＴ２３４は、本発明の「第１スイッチ素子」の一例である。
【００５８】
ディスク装置３００の２次側回路２３０では、図４に示すように、電流監視回路２５０（破線で囲む）は、２次側電源３１とＢＤドライブ２３２ａとＭＯＳＦＥＴ２３４とに接続されている。また、電流監視回路２５０は、２次側電源３１からＢＤドライブ２３２ａに流れる電流（電流量）を監視するために設けられている。なお、ＢＤドライブ２３２ａは、本発明の「所定の回路」の一例である。
【００５９】
詳細には、電流監視回路２５０は、コレクタが２次側電源３１に接続されているトランジスタ２５１と、２次側電源３１とＢＤドライブ２３２ａとに直列に接続された抵抗Ｒ５と、ＢＤドライブ２３２ａとトランジスタ２５１のゲートとに直列に接続された抵抗Ｒ６と、トランジスタ２５１のエミッタと２次側ＧＮＤとに直列に接続された抵抗Ｒ７とを含んでいる。また、トランジスタ２５１の他方端子は、ＭＯＳＦＥＴ２３４のゲートに接続されている。
【００６０】
また、電流監視回路２５０は、２次側電源３１からＢＤドライブ２３２ａに所定の電流値よりも大きい電流が流れた場合に、抵抗Ｒ５の両端生じる電位差に起因して、トランジスタ２５１がオンになるように構成されている。また、電流監視回路２５０は、２次側電源３１からＢＤドライブ２３２ａに流れる電流が所定の電流値以下の場合には、トランジスタ２５１がオフになるように構成されている。
【００６１】
また、ＭＯＳＦＥＴ２３４は、ドレインが１次側のコンデンサＣ２およびＣ３に接続されているとともに、ソースが２次側ＧＮＤに接地されている。
【００６２】
次に、２次側回路２３０の動作状態に応じたＭＯＳＦＥＴ２３４のオンオフ動作について説明する。この第３実施形態では、２次側回路２３０のＢＤドライブ２３２ａが動作していない場合、すなわち、図２の表における、２次側回路２３０の動作状態がＨＤドライブ動作状態、メイン制御部動作状態および待機状態の場合にＭＯＳＦＥＴ２３４がオフになる。
【００６３】
まず、２次側回路２３０のＢＤドライブ２３２ａが動作している場合には、２次側電源３１からＢＤドライブ２３２ａに所定の電流値よりも大きい電流が流れ、トランジスタ２５１がオンになる。これにより、２次側電源３１とＭＯＳＦＥＴ２３４のゲートとがトランジスタ２５１を介して接続され、２次側電源３１からＭＯＳＦＥＴ２３４のゲートに電力が供給される。したがって、ＭＯＳＦＥＴ２３４がオンになるため、コンデンサＣ２およびＣ３が接地状態となる。その結果、ノイズが低減される。すなわち、コンデンサＣ２およびＣ３から２次側ＧＮＤに漏洩電流が流れる。
【００６４】
また、２次側回路２３０のＢＤドライブ２３２ａが動作していない場合には、２次側電源３１からＢＤドライブ２３２ａに流れる電流が所定の電流値以下になるため、トランジスタ２５１がオフになる。これにより、ＭＯＳＦＥＴ２３４のゲートへの電力供給が遮断され、ＭＯＳＦＥＴ２３４がオフになる。この結果、コンデンサＣ２およびＣ３が非接地状態となる。その結果、コンデンサＣ２およびＣ３から２次側ＧＮＤに電流が流れない。
【００６５】
なお、第３実施形態のその他の構成は、上記第１実施形態と同様である。
【００６６】
第３実施形態では、以下のような効果を得ることができる。
【００６７】
第３実施形態では、上記のように、２次側回路２３０に設けられ、２次側のＢＤドライブ２３２ａに供給される電流を監視するための電流監視回路２５０を備え、電流監視回路２５０に流れる電流が所定の電流値以下である場合に、オフになり、コンデンサＣ２およびＣ３を非接地状態にするようにＭＯＳＦＥＴ２３４を構成されている。これにより、ノイズの発生の少ない動作状態である電流監視回路２５０に流れる電流が所定の電流値以下である場合（ＢＤドライブ２３２ａが動作していない場合）に、２次側回路２３０のＭＯＳＦＥＴ２３４がオフされるので、１次側のコンデンサＣ２およびＣ３を介して２次側ＧＮＤに漏洩電流が流れることを確実に低減することができる。
【００６８】
なお、第３実施形態のその他の効果は、上記第１実施形態と同様である。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
たとえば、上記第１〜第３実施形態では、コンデンサＣ２およびＣ３の接地状態の切り替えのためにＭＯＳＦＥＴ３４（１３４、２３４）を用いた例を示したが、本発明はこれに限られない。本発明では、図５に示す第１実施形態の第１変形例によるディスク装置４００のように、コンデンサＣ２およびＣ３の接地状態の切り替えのためにバイポーラ型のトランジスタ３３４を用いてもよい。図５に示すディスク装置４００では、トランジスタ３３４は、コレクタがコンデンサＣ２およびＣ３に接続されるとともに、エミッタが接地されている。また、トランジスタ３３４のゲートは、抵抗Ｒ８を介してトランジスタ３３のエミッタに接続されている。また、抵抗Ｒ９は、抵抗Ｒ８と２次側ＧＮＤとに直列に接続されている。なお、トランジスタ３３４は、本発明の「第１スイッチ素子」の一例である。
【００７１】
また、上記第１実施形態では、トランジスタ３３を介してＭＯＳＦＥＴ３４をオンオフした例を示したが、本発明はこれに限られない。本発明では、マイコン３２ｄに直接ＭＯＳＦＥＴ３４をオンオフする電力を供給する能力がある場合には、図６に示す第１実施形態の第２変形例によるディスク装置５００のように、トランジスタ３３を介さずにＭＯＳＦＥＴ３４をオンオフしてもよい。図６に示すディスク装置５００では、マイコン３２ｄとＭＯＳＦＥＴ３４のゲートとが、抵抗Ｒ１０を介して接続されている。
【００７２】
また、上記第１〜第３実施形態では、１次側のコンデンサＣ２およびＣ３の両方をＭＯＳＦＥＴ３４（１３４、２３４）のドレインに接続した例を示したが、本発明はこれに限られない。本発明では、２次側回路３０（１３０、２３０）のいずれの動作状態においても、正側、または、負側の電源ラインのノイズの低減が必要な場合には、ノイズの低減が必要である電源ラインに接続されるコンデンサＣ２およびＣ３の一方のみをＭＯＳＦＥＴ３４（１３４、２３４）に接続してもよい。たとえば、図７に示す、第１実施形態の第３変形例によるディスク装置６００のように、コンデンサＣ３のみをＭＯＳＦＥＴ３４に接続してもよい。
【００７３】
また、上記第１〜第３実施形態では、コンデンサＣ２およびＣ３が、それぞれ、整流ブリッジ２４の前の電源ライン４１ａおよび４１ｂに接続された例を示したが、本発明はこれに限られない。本発明では、図８に示す、第１実施形態の第４変形例によるディスク装置７００のように、コンデンサＣ２およびＣ３が、それぞれ、整流ブリッジ２４の後の電源ライン４１ｃおよび４１ｄに接続されてもよい。
【００７４】
また、上記第１実施形態では、２次側回路３０の動作状態が待機状態の場合に、トランジスタ３３のベースにＨｉｇｈの制御信号がマイコン３２ｄにより送られた例を示したが、本発明はこれに限られない。本発明では、コンデンサＣ２およびＣ３が不要な場合であれば、待機状態以外の動作状態においてトランジスタ３３をオフにしてもよい。たとえば、コンデンサＣ２およびＣ３が不要な場合が、ＨＤドライブ３２ｂが動作していない場合であれば、図２に示す、ＢＤドライブ動作状態、メイン制御部動作状態および待機状態の場合に、トランジスタ３３のベースにＨｉｇｈの制御信号がマイコン３２ｄにより送られるように構成してもよい。また、その他の動作状態についても同様である。
【００７５】
また、上記第２実施形態では、ＭＯＳＦＥＴ１３４がメイン制御部１３２ｃのオンオフと連動してオンオフされた例を示したが、本発明はこれに限られない。本発明では、ＭＯＳＦＥＴ１３４のオンオフとその他の負荷回路のオンオフとが連動可能な場合には、メイン制御部１３２ｃ以外の負荷回路のオンオフによりＭＯＳＦＥＴ１３４がオンオフされてもよい。
【００７６】
また、上記第第３実施形態では、電流監視回路２５０により２次側電源３１からＢＤドライブ２３２ａへの電流を監視した例を示したが、本発明はこれに限られない。本発明では、ＢＤドライブ２３２ａ以外の負荷回路への電流を監視してもよい。
【００７７】
また、上記第１〜第３実施形態では、コモンモードノイズを低減するためのコンデンサＣ２およびＣ３の２つのコンデンサを設けた例を示したが、本発明はこれに限られない。本発明では、１次側回路にコンデンサＣ２、または、Ｃ３の一方のみを設けるような構成でもよい。
【００７８】
また、上記第１〜第３実施形態では、電子機器の一例としてディスク装置１００（２００、３００）に本発明を適用した例を示したが、本発明はノイズ低減のためのコンデンサを有する電子機器であれば、ディスク装置以外の電子機器にも適用可能である。
【符号の説明】
【００７９】
１００、２００、３００、４００、５００、６００、７００  ディスク装置（電子機器）
１０  スイッチング電源回路（電力変換回路）
２０  １次側回路
３０、１３０、２３０  ２次側回路
３２ａ、２３２ａ  ＢＤドライブ（所定の回路）
３２ｂ  ＨＤドライブ（所定の回路）
３２ｃ  メイン制御部（所定の回路）
３２ｄ  マイコン（第１制御部）
３３  トランジスタ（第２スイッチ素子）
３４、１３４、２３４  ＭＯＳＦＥＴ（第１スイッチ素子）
１３２ｃ  メイン制御部（第２制御部）
３３４  トランジスタ（第１スイッチ素子）
【図１】
2015089280.tif 000003
【図２】
2015089280.tif 000004
【図３】
2015089280.tif 000005
【図４】
2015089280.tif 000006
【図５】
2015089280.tif 000007
【図６】
2015089280.tif 000008
【図７】
2015089280.tif 000009
【図８】
2015089280.tif 000010